(57)【要約】【課題】  光送受信装置を設置するためのスペースや電力を削減し、光送受信装置間の接続を不要とすること。【解決手段】  端局（甲）１９には、光送受信装置２２−１〜２２−ｎが設置され、対向する端局（乙）２０には、光送受信装置２３−１〜２３−ｎが設置されている。中継局２１には、２つのポートを有する光送受信装置２４−１〜２４−ｎが設置され、１つのポートには、端局１９の光送受信装置２２−１〜２２−ｎと対向するプラガブル構造を有する光トランシーバ２５−１〜２５−ｎが設けられ、もう１つのポートには、端局２０の光送受信装置２３−１〜２３−ｎと対向するプラガブル構造を有する光トランシーバ２６−１〜２６−ｎが設けられていることで、端局（甲）１９と端局（乙）２０との間を中継伝送することが可能となる。【選択図】  図３
2005080243.tif 000002
【特許請求の範囲】
【請求項１】
一方の端局と他方の端局との間で、１心又は２心を用いた光伝送の長距離化を行なうにあたり、中継局にて光−電気変換を用いる中継伝送方式に適用される光送受信装置であって、
１心又は２心伝送用のプラガブル構造を有する光トランシーバを収容可能な２つのポートを有し、
前記ポートのうち、一方のポートに設けられ、前記一方の端局と対向する１心又は２心伝送用のプラガブル構造を有する局間伝送用の第１の光トランシーバと、
前記ポートのうち、他方のポートに設けられ、前記他方の端局と対向する１心又は２心伝送用のプラガブル構造を有する局間伝送用の第２の光トランシーバとを収容し、
前記光−電気変換を用いて前記一方の端局と前記他方の端局との間での光伝送における長距離伝送用の光中継器として用いることを特徴とする光送受信装置。
【請求項２】
前記中継伝送方式が、１心又は２心を用いた光波長多重伝送の長距離化を行なうにあたり、前記一方の端局と前記中継局との間の光波長と、該中継局と前記他方の端局との光波長を変更しない中継伝送方式であって、
前記２つのポートが、前記光波長多重伝送用のプラガブル構造を有する光トランシーバを収容可能とし、
前記第２の光トランシーバが、前記一方の端局と対向する光トランシーバと同一の光波長を用いる局間伝送用の光トランシーバであり、
前記光−電気変換を用いて前記一方の端局と前記他方の端局との間での光波長多重伝送における長距離伝送用の同一光波長による光中継器として用いることを特徴とする請求項１に記載の光送受信装置。
【請求項３】
前記中継伝送方式が、１心又は２心を用いた光波長多重伝送の長距離化を行なうにあたり、前記一方の端局と前記中継局との間の光波長と、該中継局と前記他方の端局との光波長を変更する中継伝送方式であって、
前記２つのポートが、前記光波長多重伝送用のプラガブル構造を有する光トランシーバを収容可能とし、
前記第２の光トランシーバが、前記一方の端局と対向する光トランシーバと異なる光波長を用いる局間伝送用の光トランシーバであり、
前記光−電気変換を用いて前記一方の端局と前記他方の端局との間での光波長多重伝送における長距離伝送用の異波長による光中継器として用いることを特徴とする請求項１に記載の光送受信装置。
【発明の詳細な説明】
【技術分野】
【０００１】
本発明は、光送受信装置に関し、より詳細には、端局（甲）と端局（乙）との間で、１心又は２心を用いた光伝送の長距離化を行なうにあたり、中継局にて光−電気変換を用いる中継伝送方式に適用され、光伝送及び光波長多重技術を用いた光送受信装置に関する。
【背景技術】
【０００２】
各種ブロードバンドサービスの普及に伴い、経済的な光伝送及び光波長多重伝送技術が適用されているが、サービスノードや拠点の集約等に伴い伝送距離の長距離化も必要となっている。
【０００３】
図１は、従来の光伝送における中継局を介する伝送距離の長距離化の構成図で、２心を用いる光伝送の伝送距離の長距離化において光電気変換を用いる中継伝送を行なう場合の構成例を示している。図中符号１は端局（甲）、２は端局（乙）、３は中継局、４−１〜４−ｎ，５−１〜５−ｎ，６−１〜６−ｎ，７−１〜７−ｎは光送受信装置を示している。
【０００４】
図１に示した従来の中継伝送形態は、端局（甲）１と端局（乙）２との間に、中継局３を介して中継伝送する形態であり、端局（甲）１には、電気又は光の局内ＩＦと局間光ＩＦを有する光送受信装置４−１〜４−ｎが設置されていて、対向する端局（乙）２には、電気又は光の局内ＩＦと局間光ＩＦを有する光送受信装置５−１〜５−ｎが設置されている。
【０００５】
端局（甲）１と端局（乙）２との間の伝送距離の長距離化に伴い、中継局３において光−電気変換を用いる中継伝送方式を行なう場合、中継局３内には、端局（甲）１の光送受信装置４−１〜４−ｎと対向する電気又は光の局内ＩＦと局間光ＩＦを有する光送受信装置６−１〜６−ｎが設置されているとともに、端局（乙）２の光送受信装置５−１〜５−ｎと対向する電気又は光の局内ＩＦと局間光ＩＦを有する光送受信装置７−１〜７−ｎが設置されており、中継局３内において、電気又は光の局内ＩＦで光送受信装置６−１〜６−ｎと光送受信装置７−１〜７−ｎとが接続されている。
【０００６】
この場合、中継局３で光送受信装置を２台対向して設置することで、端局（甲）１と端局（乙）２との間を中継伝送することが可能となる。
【０００７】
図２は、従来の光波長多重伝送における中継局を介する伝送距離の長距離化の構成図で、１心を用いる光波長多重伝送の伝送距離の長距離化において、中継局にて光−電気変換を用いて長距離化を実施する場合の構成例を示している。図中符号８は端局（甲）、９は端局（乙）、１０は中継局、１１−１〜１１−ｎ，１４−１〜１４−ｎ，１６−１〜１６−ｎ，１７−１〜１７−ｎは光送受信装置、１２，１３，１５，１８はＷＤＭフィルタを示している。
【０００８】
図２に示した従来の中継伝送形態は、端局（甲）８と端局（乙）９との間に中継局１０を介して中継伝送する形態であり、端局（甲）８には、電気又は光の局内ＩＦと波長多重伝送用の局間光ＩＦを有する光送受信装置１１−１〜１１−ｎが設置され、ＷＤＭフィルタ１２によって光波長多重分離されるとともに、対向する端局（乙）９には、ＷＤＭフィルタ１３によって光波長多重分離され、電気又は光の局内ＩＦと光波長多重伝送用の局間光ＩＦを有する光送受信装置１４−１〜１４−ｎが設置されている（非特許文献１参照）。
【０００９】
また、中継局１０には、ＷＤＭフィルタ１５及び端局（甲）８のＷＤＭフィルタ１２を介して光送受信装置１１−１〜１１−ｎと対向する電気又は光の局内ＩＦと光波長多重伝送用の局間光ＩＦを有する光送受信装置１６−１〜１６−ｎと、ＷＤＭフィルタ１８及び端局（乙）９のＷＤＭフィルタ１３を介して端局（乙）９の光送受信装置１４−１〜１４−ｎと対向する電気又は光の局内ＩＦと光波長多重伝送用の局間光ＩＦを有する光送受信装置１７−１〜１７−ｎとが設置され、電気又は光の局内ＩＦで光送受信装置１６−１〜１６−ｎと光送受信装置１７−１〜１７−ｎとが接続されている。
【００１０】
また、端局（甲）８と中継局１０との間で用いる光波長と、中継局１０と端局（乙）９との間にて用いる波長とが同一の場合には、中継局１０で同一光波長の光送受信装置１６−１〜１６−ｎと光送受信装置１７−１〜１７−ｎとを対向させて設置することにより、端局（甲）８と端局（乙）９との中継伝送することが可能となる。
【００１１】
また、端局（甲）８と中継局１０との間で用いる光波長と中継局１０と端局（乙）９との間にて用いる光波長が異なる場合には、中継局１０に光波長の異なる別の光送受信装置１６−１〜１６−ｎと光送受信装置１７−１〜１７−ｎとを対向させることにより、端局（甲）８と端局（乙）９との間の中継伝送の長距離化に加え、光波長変換機能への対応が可能となる。
【００１２】
【非特許文献１】http://www.photonixnet.com/08_1.html
【発明の開示】
【発明が解決しようとする課題】
【００１３】
しかしながら、上述した図１及び図２に示す従来の構成では、端局（甲）と端局（乙）との間の中継伝送の長距離化又は光波長変換を実施する場合、中継局にて同一の光波長又は異なる光波長の光送受信装置を２台対向させることで、伝送距離の長距離化又は光波長変換を実施しているため、装置コストが高く、光送受信装置を設置するためのスペースや電力、各光送受信装置間を接続するためのケーブル類が必要となり、構成が複雑となるという問題がある。
【００１４】
本発明は、このような問題に鑑みてなされたもので、その目的とするところは、１台の光送受信装置で伝送距離の長距離化又は光波長の変換へ対応可能とし、装置コストの低減や光送受信装置を設置するためのスペースや電力を削減し、光送受信装置間の接続を不要とするような光送受信装置を提供することにある。
【課題を解決するための手段】
【００１５】
本発明は、このような目的を達成するためになされたもので、請求項１に記載の発明は、一方の端局と他方の端局との間で、１心又は２心を用いた光伝送の長距離化を行なうにあたり、中継局にて光−電気変換を用いる中継伝送方式に適用される光送受信装置であって、１心又は２心伝送用のプラガブル構造を有する光トランシーバを収容可能な２つのポートを有し、前記ポートのうち、一方のポートに設けられ、前記一方の端局と対向する１心又は２心伝送用のプラガブル構造を有する局間伝送用の第１の光トランシーバと、前記ポートのうち、他方のポートに設けられ、前記他方の端局と対向する１心又は２心伝送用のプラガブル構造を有する局間伝送用の第２の光トランシーバとを収容し、前記光−電気変換を用いて前記一方の端局と前記他方の端局との間での光伝送における長距離伝送用の光中継器として用いることを特徴とする。（光中継器用光送受信装置）
【００１６】
また、請求項２に記載の発明は、請求項１に記載の発明において、前記中継伝送方式が、１心又は２心を用いた光波長多重伝送の長距離化を行なうにあたり、前記一方の端局と前記中継局との間の光波長と、該中継局と前記他方の端局との光波長を変更しない中継伝送方式であって、前記２つのポートが、前記光波長多重伝送用のプラガブル構造を有する光トランシーバを収容可能とし、前記第２の光トランシーバが、前記一方の端局と対向する光トランシーバと同一の光波長を用いる局間伝送用の光トランシーバであり、前記光−電気変換を用いて前記一方の端局と前記他方の端局との間での光波長多重伝送における長距離伝送用の同一光波長による光中継器として用いることを特徴とする。（ＷＤＭ光中継器用光送受信装置（同一波長））
【００１７】
また、請求項３に記載の発明は、請求項１に記載の発明において、前記中継伝送方式が、１心又は２心を用いた光波長多重伝送の長距離化を行なうにあたり、前記一方の端局と前記中継局との間の光波長と、該中継局と前記他方の端局との光波長を変更する中継伝送方式であって、前記２つのポートが、前記光波長多重伝送用のプラガブル構造を有する光トランシーバを収容可能とし、前記第２の光トランシーバが、前記一方の端局と対向する光トランシーバと異なる光波長を用いる局間伝送用の光トランシーバであり、前記光−電気変換を用いて前記一方の端局と前記他方の端局との間での光波長多重伝送における長距離伝送用の異波長による光中継器として用いることを特徴とする。（ＷＤＭ光中継器用又は光波長変換用光送受信装置（異波長））
【００１８】
つまり、本発明は、着脱交換可能なプラガブル構造を有する光トランシーバを収容可能な２つのポートを有し、１つのポートには、端局（甲）と対向する１心又は２心伝送用のプラガブル構造を有する局間伝送用の光トランシーバを収容し、もう１つのポートには、端局（乙）と対向する１心又は２心伝送用のプラガブル構造を有する局間伝送用の光トランシーバを収容し、光−電気変換を用いて端局（甲）と端局（乙）との間での光伝送における長距離伝送用の光中継器、または端局（甲）と中継局との間の光波長を中継局と端局（乙）との間での光波長に波長変換を行なう波長変換器として利用可能な光送受信装置を実現するものである。
【００１９】
このような構成により、これまでの電気又は光の局内ＩＦと局間光ＩＦまたは光波長多重伝送対応の局間光ＩＦを有する光送受信装置のＩＦ部分を、着脱交換可能なプラガブル構造を有する光トランシーバモジュールを収容する２つのポートとし、２つのポートに局間光ＩＦまたは光波長多重伝送用の局間光ＩＦを有するプラガブル構造の光トランシーバモジュールを収容することで、１つの光送受信装置にて伝送距離の長距離化や光波長の変換へ対応可能となる。
【００２０】
また、プラガブル機能の実現は、光信号の送受信に必要な機能を搭載した光トランシーバモジュールを光送受信装置へ挿抜及び固定するための嵌合用電気コネクタの物理的なサイズを規定するとともに、主信号及び監視制御用の電気信号を送受信するためのコネクタピン配置を規定することで、プラガブル機能の実現が可能となる。
【発明の効果】
【００２１】
以上説明したように、本発明によれば、着脱交換可能なプラガブル構造を有する光トランシーバを収容する２つのポートを有する光送受信装置を用いることにより、１つの光送受信装置で伝送距離の長距離化や中継局における光波長変換へ対応可能となることから、装置コストの低減や光送受信装置を設置するためのスペースや電力を削減し、光送受信装置間の接続も不要となることから経済的でシンプルな構成で対応することが可能となる。
【発明を実施するための最良の形態】
【００２２】
以下、図面を参照して本発明の実施例について説明する。  
【実施例１】
【００２３】
図３は、本発明に係る光送受信装置の実施例１を説明するための構成図で、図中符号１９は端局（甲）、２０は端局（乙）、２１は中継局、２２−１〜２２−ｎ，２３−１〜２３−ｎ，２４−１〜２４−ｎは光送受信装置、２５−１〜２５−ｎ，２６−１〜２６−ｎは光トランシーバを示している。
【００２４】
本実施例３の中継伝送形態は、端局（甲）１９と端局（乙）２０との間に中継局２１を介して中継伝送する形態であり、端局（甲）１９には、電気又は光の局内ＩＦと局間光ＩＦを有する光送受信装置２２−１〜２２−ｎが設置されている。一方、対向する端局（乙）２０には、電気又は光の局内ＩＦと局間光ＩＦを有する光送受信装置２３−１〜２３−ｎが設置されている。
【００２５】
そして、端局（甲）１９の光送受信装置２２−１〜２２−ｎと、端局（乙）２０の光送受信装置２３−１〜２３−ｎとは、中継局２１を介して接続されている。
【００２６】
また、端局（甲）１９と端局（乙）２０との間の伝送距離の長距離化に伴い、中継局２１において光−電気変換を用いて中継伝送を行なう場合、中継局２１には、着脱交換可能なプラガブル構造を有する光トランシーバ２５−１〜２５−ｎ，２６−１〜２６−ｎを収容する２つのポートを有する光送受信装置２４−１〜２４−ｎが設置され、１つのポートには、端局１９の光送受信装置２２−１〜２２−ｎと対向するプラガブル構造を有する光トランシーバ２５−１〜２５−ｎを収容し、もう１つのポートには、端局２０の光送受信装置２３−１〜２３−ｎと対向するプラガブル構造を有する光トランシーバ２６−１〜２６−ｎを収容することで、端局（甲）１９と端局（乙）２０との間を中継伝送することが可能となる。
【実施例２】
【００２７】
図４は、本発明に係る光送受信装置の実施例２を説明するための構成図で、１心を用いる光波長多重伝送の伝送距離の長距離化又は光波長変換において、中継局において光−電気変換を用いて長距離化又は光波長変換を実施する場合の構成例を示している。図中符号２７は端局（甲）、２８は端局（乙）、２９は中継局、３０−１〜３０−ｎ，３３−１〜３３−ｎ，３５−１〜３５−ｎは光送受信装置、３６−１〜３６−ｎ，３７−１〜３７−ｎは光トランシーバ、３１，３２，３４，３８はＷＤＭフィルタを示している。
【００２８】
本実施例２の中継伝送又は光波長変換形態は、端局（甲）２７と端局（乙）２８との間に中継局２９を介して中継伝送又は光波長変換する形態であり、端局（甲）２７には、電気又は光の局内ＩＦと波長多重伝送用の局間光ＩＦを有する光送受信装置３０−１〜３０−ｎが設置され、ＷＤＭフィルタ３１にて光波長多重分離される。
【００２９】
一方、対向する端局（乙）２８には、ＷＤＭフィルタ３２によって光波長多重分離され、電気又は光の局内ＩＦと光波長多重伝送用の局間光ＩＦを有する光送受信装置３３−１〜３３−ｎが設置されている。
【００３０】
中継局２９において伝送距離の長距離化または光−波長変換を行なう場合、中継局２９内には、着脱交換可能なプラガブル構造を有する光トランシーバ３６−１〜３６−ｎ，３７−１〜３７−ｎを収容する２つのポートを有する光送受信装置３５−１〜３５−ｎが設置され、１つのポートには、ＷＤＭフィルタ３４及び端局（甲）２７のＷＤＭフィルタ３１を介して光送受信装置３０−１〜３０−ｎと対向するプラガブル構造を有する光トランシーバ３６−１〜３６−ｎを収容し、もう１つのポートには、ＷＤＭフィルタ３８及び端局（乙）２８のＷＤＭフィルタ３２を介して光送受信装置３３−１〜３３−ｎと対向するプラガブル構造を有する光トランシーバ３７−１〜３７−ｎが収容されている。
【００３１】
また、端局（甲）２７と中継局２９との間で用いる光波長と、中継局２９と端局(乙）２８の間で用いる光波長が同一の場合、中継局２９に設置される光送受信装置３５−１〜３５−ｎ収容するプラガブル構造を有する光トランシーバ３６−１〜３６−ｎ及び３７−１〜３７−ｎを同一光波長とすることで、端局（甲）２７と端局（乙）２８の間の中継伝送が可能となる。
【００３２】
また、端局（甲）２７と中継局２９との間で用いる光波長と、中継局２９と端局(乙）２８の間で用いる光波長を変換する必要がある場合、中継局２９に設置される光送受信装置３５−１〜３５−ｎに異なった光波長のプラガブル構造を有する光トランシーバ３６−１〜３６−ｎと３７−１〜３７−ｎを収容することで、端局（甲）２７と中継局２９との間で用いる光波長と、中継局２９と端局(乙）２８の間で用いる光波長を変換することが可能となる。
【産業上の利用可能性】
【００３３】
本発明は、端局（甲）と端局（乙）との間で、１心又は２心を用いた光伝送の長距離化を行なうにあたり、中継局において光−電気変換を用いる中継伝送方式に適用され、光伝送及び光波長多重技術を用いた光送受信装置に関し、１台の光送受信装置で伝送距離の長距離化又は光波長の変換へ対応可能とし、装置コストの低減や光送受信装置を設置するためのスペースや電力を削減し、光送受信装置間の接続を不要とするような光送受信装置を提供することができる。
【図面の簡単な説明】
【００３４】
【図１】従来の光伝送における中継局を介する伝送距離の長距離化の構成図である。
【図２】従来の光波長多重伝送における中継局を介する伝送距離の長距離化の構成図である。
【図３】本発明に係る光送受信装置の実施例１を説明するための構成図である。
【図４】本発明に係る光送受信装置の実施例２を説明するための構成図である。
【符号の説明】
【００３５】
１  端局（甲）
２  端局（乙）
３  中継局
４−１〜４−ｎ，５−１〜５−ｎ，６−１〜６−ｎ，７−１〜７−ｎ  光送受信装置
８  端局（甲）
９  端局（乙）
１０  中継局
１１−１〜１１−ｎ，１４−１〜１４−ｎ，１６−１〜１６−ｎ，１７−１〜１７−ｎ  光送受信装置
１２，１３，１５，１８  ＷＤＭフィルタ
１９  端局（甲）
２０  端局（乙）
２１  中継局
２２−１〜２２−ｎ，２３−１〜２３−ｎ，２４−１〜２４−ｎ  光送受信装置
２５−１〜２５−ｎ，２６−１〜２６−ｎ  光トランシーバ
２７  端局（甲）
２８  端局（乙）
２９  中継局
３０−１〜３０−ｎ，３３−１〜３３−ｎ，３５−１〜３５−ｎ  光送受信装置
３６−１〜３６−ｎ，３７−１〜３７−ｎ  光トランシーバ
３１，３２，３４，３８  ＷＤＭフィルタ
【図１】
2005080243.tif 000003
【図２】
2005080243.tif 000004
【図３】
2005080243.tif 000005
【図４】
2005080243.tif 000006
【手続補正書】
【提出日】平成16年9月6日(2004.9.6)
【手続補正１】
【補正対象書類名】特許請求の範囲
【補正対象項目名】全文
【補正方法】変更
【補正の内容】
【特許請求の範囲】
【請求項１】
１心又は２心伝送用のプラガブル構造を有する光トランシーバを収容可能な２つのポートを有し、
前記ポートのうち、一方のポートに設けられ、一方の端局と対向する１心又は２心伝送用のプラガブル構造を有する局間伝送用の第１の光トランシーバと、
前記ポートのうち、他方のポートに設けられ、他方の端局と対向する１心又は２心伝送用のプラガブル構造を有する局間伝送用の第２の光トランシーバとを収容し、
光−電気変換を用いて前記一方の端局と前記他方の端局との間での光伝送における長距離伝送用の光中継器として用いることを特徴とする光送受信装置。
【請求項２】
一方の端局と他方の端局との間で、１心又は２心を用いた光伝送の長距離化を行なうにあたり、中継局にて光−電気変換を用いる中継伝送方式に適用される光送受信装置であって、
１心又は２心伝送用のプラガブル構造を有する光トランシーバを収容可能な２つのポートを有し、
前記ポートのうち、一方のポートに設けられ、前記一方の端局と対向する１心又は２心伝送用のプラガブル構造を有する局間伝送用の第１の光トランシーバと、
前記ポートのうち、他方のポートに設けられ、前記他方の端局と対向する１心又は２心伝送用のプラガブル構造を有する局間伝送用の第２の光トランシーバとを収容し、
前記光−電気変換を用いて前記一方の端局と前記他方の端局との間での光伝送における長距離伝送用の光中継器として用いることを特徴とする光送受信装置。
【請求項３】
前記中継伝送方式が、１心又は２心を用いた光波長多重伝送の長距離化を行なうにあたり、前記一方の端局と前記中継局との間の光波長と、該中継局と前記他方の端局との光波長を変更しない中継伝送方式であって、
前記２つのポートが、前記光波長多重伝送用のプラガブル構造を有する光トランシーバを収容可能とし、
前記第２の光トランシーバが、前記一方の端局と対向する光トランシーバと同一の光波長を用いる局間伝送用の光トランシーバであり、
前記光−電気変換を用いて前記一方の端局と前記他方の端局との間での光波長多重伝送における長距離伝送用の同一光波長による光中継器として用いることを特徴とする請求項２に記載の光送受信装置。
【請求項４】
前記中継伝送方式が、１心又は２心を用いた光波長多重伝送の長距離化を行なうにあたり、前記一方の端局と前記中継局との間の光波長と、該中継局と前記他方の端局との光波長を変更する中継伝送方式であって、
前記２つのポートが、前記光波長多重伝送用のプラガブル構造を有する光トランシーバを収容可能とし、
前記第２の光トランシーバが、前記一方の端局と対向する光トランシーバと異なる光波長を用いる局間伝送用の光トランシーバであり、
前記光−電気変換を用いて前記一方の端局と前記他方の端局との間での光波長多重伝送における長距離伝送用の異波長による光中継器として用いることを特徴とする請求項２に記載の光送受信装置。
【手続補正２】
【補正対象書類名】明細書
【補正対象項目名】００１５
【補正方法】変更
【補正の内容】
【００１５】
本発明は、このような目的を達成するためになされたもので、請求項１に記載の発明は、１心又は２心伝送用のプラガブル構造を有する光トランシーバを収容可能な２つのポートを有し、前記ポートのうち、一方のポートに設けられ、一方の端局と対向する１心又は２心伝送用のプラガブル構造を有する局間伝送用の第１の光トランシーバと、前記ポートのうち、他方のポートに設けられ、他方の端局と対向する１心又は２心伝送用のプラガブル構造を有する局間伝送用の第２の光トランシーバとを収容し、光−電気変換を用いて前記一方の端局と前記他方の端局との間での光伝送における長距離伝送用の光中継器として用いることを特徴とする。
また、請求項２に記載の発明は、一方の端局と他方の端局との間で、１心又は２心を用いた光伝送の長距離化を行なうにあたり、中継局にて光−電気変換を用いる中継伝送方式に適用される光送受信装置であって、１心又は２心伝送用のプラガブル構造を有する光トランシーバを収容可能な２つのポートを有し、前記ポートのうち、一方のポートに設けられ、前記一方の端局と対向する１心又は２心伝送用のプラガブル構造を有する局間伝送用の第１の光トランシーバと、前記ポートのうち、他方のポートに設けられ、前記他方の端局と対向する１心又は２心伝送用のプラガブル構造を有する局間伝送用の第２の光トランシーバとを収容し、前記光−電気変換を用いて前記一方の端局と前記他方の端局との間での光伝送における長距離伝送用の光中継器として用いることを特徴とする。（光中継器用光送受信装置）
【手続補正３】
【補正対象書類名】明細書
【補正対象項目名】００１６
【補正方法】変更
【補正の内容】
【００１６】
また、請求項３に記載の発明は、請求項２に記載の発明において、前記中継伝送方式が、１心又は２心を用いた光波長多重伝送の長距離化を行なうにあたり、前記一方の端局と前記中継局との間の光波長と、該中継局と前記他方の端局との光波長を変更しない中継伝送方式であって、前記２つのポートが、前記光波長多重伝送用のプラガブル構造を有する光トランシーバを収容可能とし、前記第２の光トランシーバが、前記一方の端局と対向する光トランシーバと同一の光波長を用いる局間伝送用の光トランシーバであり、前記光−電気変換を用いて前記一方の端局と前記他方の端局との間での光波長多重伝送における長距離伝送用の同一光波長による光中継器として用いることを特徴とする。（ＷＤＭ光中継器用光送受信装置（同一波長））
【手続補正４】
【補正対象書類名】明細書
【補正対象項目名】００１７
【補正方法】変更
【補正の内容】
【００１７】
また、請求項４に記載の発明は、請求項２に記載の発明において、前記中継伝送方式が、１心又は２心を用いた光波長多重伝送の長距離化を行なうにあたり、前記一方の端局と前記中継局との間の光波長と、該中継局と前記他方の端局との光波長を変更する中継伝送方式であって、前記２つのポートが、前記光波長多重伝送用のプラガブル構造を有する光トランシーバを収容可能とし、前記第２の光トランシーバが、前記一方の端局と対向する光トランシーバと異なる光波長を用いる局間伝送用の光トランシーバであり、前記光−電気変換を用いて前記一方の端局と前記他方の端局との間での光波長多重伝送における長距離伝送用の異波長による光中継器として用いることを特徴とする。（ＷＤＭ光中継器用又は光波長変換用光送受信装置（異波長））